(57)【要約】      （修正有）【課題】電子機器のケーブルに取り付ける分割磁性体コアの位置ずれを防止にすることができ、自由に取り外しが可能なケーブル固定器具を設けてなるノイズ吸収装置を提供する。【解決手段】電気用のケーブルを貫通させる筒状磁性体コアを前記筒状磁性体コアの軸を含む平面で分割してなる一対の分割磁性体コア１３と、前記分割磁性体コア１３をそれぞれ収納する略半円筒状の一対の分割体ケース１５と、前記分割磁性体コア１３の湾曲に沿った略半円筒状の樹脂シート３内面に円筒中心に向かい、かつ円筒中央を境に傾斜したブラシ５を設け、分割磁性体コア１３と／もしくは分割体ケース１５への係合部を有するケーブル固定器具１を設けてなるノイズ吸収装置により位置ずれを防止する。【選択図】図４
2008192666.tif 000002
【特許請求の範囲】
【請求項１】
電気用のケーブルを貫通させる筒状磁性体コアを前記筒状磁性体コアの軸を含む平面で分割してなる一対の分割磁性体コアと、前記分割磁性体コアをそれぞれ収納する略半筒状の一対の分割体ケースからなるノイズ吸収装置に用いるケーブル固定器具であって、前記分割磁性体コアの湾曲に沿った略半筒形状の樹脂シート内面に筒中心に向かい、かつ筒中央部を境に傾斜したブラシを設け、分割磁性体コアと／もしくは分割体ケースへの係合部を有することを特徴とするケーブル固定器具。
【請求項２】
電気用のケーブルを貫通させる筒状磁性体コアを前記筒状磁性体コアの軸を含む平面で分割してなる一対の分割磁性体コアと、前記分割磁性体コアをそれぞれ収納する略半筒状の一対の分割体ケースと、前記分割磁性コアの内側に請求項１記載のケーブル固定器具を設けてなるノイズ吸収装置。
【発明の詳細な説明】
【技術分野】
【０００１】
本発明は、ハーネスや電子機器のケーブルに取付けてケーブルを伝搬する電磁ノイズを抑制するために用いる分割磁性体コアに対してケーブル固定を補助する固定器具およびこれを用いたノイズ吸収装置に関するものである。
【背景技術】
【０００２】
ハーネスや電子機器等のようにノイズ伝搬が懸念されるケーブルには、ケーブル径に応じた一対の分割磁性体コアをケーブルに挟み込むようにして取付ける事によってノイズ吸収効果を得ることが出来る。
【０００３】
前記分割磁性体コアを取り付ける方法としては、ケーブルを単純に一対の分割磁性体コアに貫通させるだけの方法（例えば、特許文献１）や、ケーブル貫通部分をゲル状樹脂で埋めることで固定させる方法（例えば、特許文献２）などがある。
【０００４】
【特許文献１】特開平７−１２２４３３号公報
【特許文献２】特開２００５−１１９６１号公報
【発明の開示】
【発明が解決しようとする課題】
【０００５】
しかし、ケーブルを分割磁性体コアに貫通させたのみなどの場合では、振動にさらされる際に、ケーブルに取り付けた分割磁性体コアの位置がずれてしまい、ノイズ吸収装置が邪魔することや、場合によってはノイズ吸収効果の低下が懸念される。この位置ずれを防止するために、テーピングによる固定や、チューブを被せることによって位置を固定する後加工方法が考えられてきたが、手間がかかることからコストアップの要因となっていた。
【０００６】
また、前述のように、ケーブル貫通部分をゲル状樹脂で埋め、振動による位置ずれ対策を施したものがあるが、ケーブル径が太い場合やケーブル貫通部分に数回通すように巻き線状にした場合などでは、ゲル状樹脂による圧迫により分割磁性体コア間にギャップが生じる場合や、嵌合出来ない場合が生じ、ノイズ吸収効果が発揮できない恐れがあった。
【０００７】
本発明は、このような問題に鑑みてなされたもので、分割磁性体コアの湾曲に沿った樹脂シート上に筒中心軸方向に、かつ筒中央部方向に傾斜したブラシを設けた固定器具を用いることにより、前記分割磁性体コアの位置のずれを防止することができ、自由に取り外しが可能なケーブル固定器具を設けてなるノイズ吸収装置を提供することを目的とする。
【課題を解決するための手段】
【０００８】
本発明の第１の発明は、電気用のケーブルを貫通させる筒状磁性体コアを前記筒状磁性体コアの軸を含む平面で分割してなる一対の分割磁性体コアと、前記分割磁性体コアをそれぞれ収納する略半筒状の一対の分割体ケースからなるノイズ吸収装置に用いるケーブル固定器具であって、前記分割磁性体コアの湾曲に沿った略半筒状の樹脂シート内面に筒中心に向かい、かつ筒中央を境に傾斜したブラシを設け、分割磁性体コアと／もしくは分割体ケースへの係合部を有することを特徴とするケーブル固定器具である。
【０００９】
また、第２の発明は、電気用のケーブルを貫通させる筒状磁性体コアを前記筒状磁性体コアの軸を含む平面で分割してなる一対の分割磁性体コアと、前記分割磁性体コアをそれぞれ収納する略半筒状の一対の分割体ケースと、前記分割磁性コアの内側に請求項１記載のケーブル固定器具を設けてなるノイズ吸収装置である。
【発明の効果】
【００１０】
本発明によるケーブル固定器具を装着することにより、ケーブル被覆とブラシとの摩擦によりケーブルを固定して、分割磁性体コアの位置ずれを防止することが出来る。また、粘着力を用いた装着でないため、取り外しが容易である。ケーブルの形状によって任意の形状のケーブル固定器具を装着することが可能であり、また、分割磁性体コアと分割体ケースとの間隙に差し込み部を差し込むのみでケーブル固定器具を装着することができるので、既存のハーネスや電子機器のケーブル製品に容易に取り付けることが可能である。
【発明を実施するための最良の形態】
【００１１】
以下、本発明の第１の実施の形態を図面を参照しながら詳細に説明する。
【００１２】
図１は、本発明の第１の実施の形態に係るケーブル固定器具の説明図であり、図２は、図１のケーブル固定器具の縦断面図（Ａ−Ａ断面図）であり、図３は、図１のケーブル固定器具の側面図である。
【００１３】
詳しくは後で述べるが、本発明のケーブル固定器具１は、電気用のケーブルを貫通させる筒状磁性体コアを前記筒状磁性体コアの軸を含む平面で分割してなる一対の分割磁性体コアと、前記分割磁性体コアをそれぞれ収納する略半円筒状の一対の分割体ケースからなるノイズ吸収装置に用いるものである。磁性体コアは、ノイズ吸収特性のために閉磁路を構成する筒状であれば、円筒、四角筒、六角筒等、特に限定されない。以下、円筒で代表して説明する。
【００１４】
図１に示すように、ケーブル固定器具１には、半円筒形状の樹脂シート３の内面に、円筒中心軸方向に、かつ円筒中央部方向に傾斜して設けられたブラシ５を設ける。具体的に、ブラシ５は、図２に示すように、円筒中央を境に傾斜方向を変え、円筒中央部方向に傾斜し、かつ図３に示すように、円筒中心軸方向に設ける。なお、図２の円筒中央部方向の傾斜角度は任意に変更できる。
【００１５】
また、ブラシ５は、図３に示すように、円筒軸部分に一定の間隙９が出来るように設ける。間隙９は、固定するケーブル（後で図示）が貫通でき、かつ前記ケーブルとブラシ５とが適度な摩擦力を有して接する範囲で設ける。なお、ブラシ５の長さは固定するケーブルの直径寸法に応じて、任意に設定すればよい。また、ブラシ５の密集度も任意に設定すればよい。ブラシ５の材質は、熱可塑性樹脂を用いるとよく、その選定については弾力性、ケーブルとの摩擦力に応じて任意に設定する。
【００１６】
また、ケーブル固定器具の分割磁性体コアと／もしくは分割体ケースへの係合部の一例として、ケーブル固定器具１の樹脂シート３の両端部には、後で図示する分割磁性体コアと分割体ケースとの間隙に、差し込んで装着するための差し込み部７を設ける。  
【００１７】
次に、ケーブル固定器具１を装着したノイズ吸収装置について説明する。
【００１８】
図４は、ノイズ吸収装置１１を組み立てる際のケーブル固定器具１の装着説明図である。図４に示すように、筒状磁性体コアを前記筒状磁性体コアの円筒軸を含む平面で分割してなる一対の分割磁性体コア１３を略半円筒状の一対の分割体ケース１５にそれぞれ収納する。またケーブル固定器具１は、分割体ケース１５と分割磁性体コア１３との間隙に差し込み部７を差し込み、分割磁性体コア１３の内側に装着する。
【００１９】
一対の分割体ケース１５は、特に限定するものではないが、例えばヒンジ部１７により折り曲げ可能に一体結合され、側面に係止部１９を設ける。ノイズ吸収装置１１にケーブルを貫通させて装着する際、ケーブル固定器具１の間隙９にケーブルを挟み、分割体ケース１５を閉じて嵌合固定する。
【００２０】
図５は、ケーブルを貫通させたときの嵌合後のノイズ吸収装置１１の円筒軸を含む面での縦断面図である。図５に示すように、ケーブル２１をブラシ５が押さえ込み、かつブラシ５は円筒中央部方向に傾斜しているため貫通方向軸の振動に対して固定しようとする力が作用する。図６は、ケーブルを貫通させたときの嵌合後のノイズ吸収装置１１の側面図である。図６に示すように、ブラシ５がケーブル２１を均等に押さえ込んで固定する。
【００２１】
このように、第１の実施の形態によれば、ケーブル皮膜とブラシとの摩擦によりケーブルを固定して、分割磁性体コアの位置ずれを防止することが出来る。また、粘着力を用いた装着でないため、取り外しが容易であり、また分割磁性体コア１３と分割体ケース１５との間隙に差し込み部７を差し込むのみでケーブル固定器具１を装着することができるので、既存のハーネスや電子機器のケーブル製品に容易に取り付けることが可能である。
【００２２】
なお、本発明の技術的範囲は、前述した実施の形態に限定されるものではなく、実施の形態の種々の改変、変形等も本発明の技術的範囲に含まれる。図７は、他の実施の形態に係るケーブル固定器具の縦断面図である。例えば、図７に示すようにブラシ５の傾斜を円筒中央を境に端部に向けて傾斜しても同様の効果を発揮する。
【図面の簡単な説明】
【００２３】
【図１】本発明の第１の実施の形態に係るケーブル固定器具の斜視図。
【図２】図１のケーブル固定器具の縦断面図（Ａ−Ａ断面図）。
【図３】図１のケーブル固定器具の側面図。
【図４】ノイズ吸収装置を組み立てる際のケーブル固定器具の装着説明図。
【図５】ケーブルを貫通させたときの嵌合後のノイズ吸収装置の縦断面図。
【図６】ケーブルを貫通させたときの嵌合後のノイズ吸収装置の側面図。
【図７】他の実施の形態に係るケーブル固定器具の縦断面図。
【符号の説明】
【００２４】
１    ケーブル固定器具
３    樹脂シート
５    ブラシ
７    差し込み部
９    間隙
１１    ノイズ吸収装置
１３    分割磁性体コア
１５    分割体ケース
１７    ヒンジ部
１９    係止部
２１    ケーブル
【図１】
2008192666.tif 000003
【図２】
2008192666.tif 000004
【図３】
2008192666.tif 000005
【図４】
2008192666.tif 000006
【図５】
2008192666.tif 000007
【図６】
2008192666.tif 000008
【図７】
2008192666.tif 000009